(57)【要約】【課題】燃焼ユニット及びシスターンのメンテナンス性を改善することができる温水暖房装置を提供する。【解決手段】本発明の一態様に係る温水暖房装置は、燃焼ユニットと、底壁と、底壁よりも上方に位置する上壁と、上壁から上方に突出する第１壁部とを含む筐体を有し、かつ底壁側において燃焼ユニットに取り付けられるシスターンとを備える。上下を逆にして燃焼ユニット及びシスターンが載置面上に載置される場合に、第１壁部は、載置面上において燃焼ユニット及びシスターンを支持するように構成される。【選択図】図３
2019143824.tif 000002
【特許請求の範囲】
【請求項１】
燃焼ユニットと、
底壁と、前記底壁よりも上方に位置する上壁と、前記上壁から上方に突出する第１壁部とを含む筐体を有し、かつ前記底壁側において前記燃焼ユニットに取り付けられるシスターンとを備え、
上下を逆にして前記燃焼ユニット及び前記シスターンが載置面上に載置される場合に、前記第１壁部は、前記載置面上において前記燃焼ユニット及び前記シスターンを支持するように構成される、温水暖房装置。
【請求項２】
前記シスターンは、第１端と、前記第１端の反対側の端である第２端とを含む水位電極をさらに有し、
前記上壁には、前記上壁を厚さ方向に貫通する貫通孔が設けられ、
前記水位電極は、前記第１端が前記筐体の内部に位置し、かつ前記第２端が前記筐体の外部に位置するように前記貫通孔に挿通され、
前記第１壁部の上端は、前記第２端よりも上方に位置する、請求項１に記載の温水暖房装置。
【請求項３】
前記筐体は、前記上壁から上方に突出する第２壁部をさらに含み、
上下を逆にして前記燃焼ユニット及び前記シスターンが前記載置面上に載置される場合に、前記第２壁部は、前記載置面上において、前記燃焼ユニット及び前記シスターンを支持するように構成され、
前記第１壁部及び前記第２壁部は、平面視において、前記貫通孔を挟むように配置される、請求項２に記載の温水暖房装置。
【請求項４】
前記筐体は、前記上壁及び前記底壁に連なる側壁と、前記上壁の一部である補水部上壁及び前記側壁の一部である補水部側壁により画される補水部とをさらに含み、
前記補水部側壁には、前記筐体の内部に連通する補水口が設けられ、
前記補水部上壁は、前記補水部の周囲に位置する前記上壁よりも上方に突出し、
上下を逆にして前記燃焼ユニット及び前記シスターンが前記載置面上に載置される場合に、前記補水部上壁は、前記載置面上において前記燃焼ユニット及び前記シスターンを支持するように構成される、請求項３に記載の温水暖房装置。
【発明の詳細な説明】
【技術分野】
【０００１】
本発明は、温水暖房装置に関する。
【背景技術】
【０００２】
従来から、特許文献１（特許第５６４８８３４号公報）に記載の温水暖房装置が知られている。特許文献１に記載の温水暖房装置は、燃焼器と、一次熱交換器と、二次熱交換器（以下においては、この燃焼器、一次熱交換器及び二次熱交換器を、あわせて「燃焼ユニット」という）と、ドレンタンクと、筐体とを有している。燃焼ユニット及びドレンタンクは、筐体の内部に収納されている。
【先行技術文献】
【特許文献】
【０００３】
【特許文献１】特許第５６４８８３４号公報
【発明の概要】
【発明が解決しようとする課題】
【０００４】
特許文献１に記載の温水暖房装置においては、ドレンタンクは、第１係合部分及び第２係合部分により、筐体に係合されている。すなわち、特許文献１に記載の温水暖房装置においては、燃焼ユニットとドレンタンクとは、一体化されていない。そのため、特許文献１に記載の温水暖房装置においては、燃焼ユニット及びドレンタンクを一体として筐体から取り出すことはできない。また、特許文献１に記載の温水暖房装置においては、筐体から取り出した燃焼ユニット及びドレンタンクを、メンテナンス時にどのように載置するのかについて言及がされていない。そのため、特許文献１に記載の温水暖房装置は、メンテナンス性に改善の余地があった。
【０００５】
本発明は、上記のような従来技術の問題点に鑑みてなされたものである。より具体的には、本発明は、燃焼ユニット及びシスターンのメンテナンス性を改善することができる温水暖房装置を提供する。
【課題を解決するための手段】
【０００６】
本発明の一態様に係る温水暖房装置は、燃焼ユニットと、底壁と、底壁よりも上方に位置する上壁と、上壁から上方に突出する第１壁部とを含む筐体を有し、かつ底壁側において燃焼ユニットに取り付けられるシスターンとを備える。上下を逆にして燃焼ユニット及びシスターンが載置面上に載置される場合に、第１壁部は、載置面上において燃焼ユニット及びシスターンを支持するように構成される。
【０００７】
本発明の一態様に係る温水暖房装置においては、燃焼ユニットとシスターンとが一体となっているため、燃焼ユニット及びシスターンを、一体化された状態で温水暖房装置の筐体から取り外すことができる。取り外された燃焼ユニット及びシスターンは、載置面上に載置されることにより、メンテナンスに供される。上下を逆にして燃焼ユニット及びシスターンが載置面上に載置される場合、シスターンの筐体の上壁に設けられた第１壁部が、載置面上において、シスターン及び燃焼ユニットを支持することができる。そのため、本発明の一態様に係る温水暖房装置によると、シスターン及び燃焼ユニットを、容易に載置面上に載置することができる。したがって、本発明の一態様に係る温水装置によると、燃焼ユニット及びシスターンのメンテナンス性を改善することができる。
【０００８】
上記の温水暖房装置において、シスターンは、第１端と、第１端の反対側の端である第２端とを含む水位電極をさらに有していてもよい。上壁には、上壁を厚さ方向に貫通する貫通孔が設けられていてもよい。水位電極は、第１端が筐体の内部に位置し、かつ第２端が筐体の外部に位置するように貫通孔に挿通されていてもよい。第１壁部の上端は、第２端よりも上方に位置していてもよい。
【０００９】
この場合には、水位電極は、第１壁部が載置面上においてシスターン及び燃焼ユニットを支持する際に、その妨げとならない。そのため、水位電極がシスターンの筐体の上壁側に配置される場合であっても、燃焼ユニット及びシスターンのメンテナンス性を改善することができる。
【００１０】
上記の温水暖房装置において、筐体は、上壁から上方に突出する第２壁部をさらに含んでいてもよい。上下を逆にして燃焼ユニット及びシスターンが載置面上に載置される場合に、第２壁部は、載置面上において燃焼ユニット及びシスターンを支持するように構成されていてもよい。第１壁部及び第２壁部は、平面視において、貫通孔を挟むように配置されていてもよい。
【００１１】
この場合、上下を逆にして燃焼ユニット及びシスターンを載置面上に載置する際に、載置面上において、燃焼ユニット及びシスターンを、第１壁部及び第２壁部の双方で支持することができる。そのため、燃焼ユニット及びシスターンをより安定した状態で載置面上に載置することができる。
【００１２】
燃焼ユニット及びシスターンを温水暖房装置の筐体から取り外す、又は温水暖房装置の筐体に収納する際に水位電極が温水暖房装置の筐体等に接触することは、水位電極の損傷の原因となるおそれがある。しかしながら、この場合には、水位電極が、第１壁部及び第２壁部により、このような接触から保護されている。そのため、この場合には、水位電極に損傷が生じることを抑制することができる。
【００１３】
上記の温水暖房装置において、筐体は、上壁及び底壁に連なる側壁と、上壁の一部である補水部上壁及び側壁の一部である補水部側壁により画される補水部とを、さらに含んでいてもよい。補水部側壁には、筐体の内部に連通する補水口が設けられていてもよい。補水部上壁は、補水部の周囲に位置する上壁よりも上方に突出していてもよい。上下を逆にして燃焼ユニット及びシスターンが載置面上に載置される場合に、補水部に位置する上壁は、載置面上において燃焼ユニット及びシスターンを支持するように構成されていてもよい。
【００１４】
この場合、上下を逆にして燃焼ユニット及びシスターンを載置面上に載置する際に、載置面上において、燃焼ユニット及びシスターンを、第１壁部及び第２壁部のみならず、補水部上壁によっても支持することができる。したがって、この場合には、燃焼ユニット及びシスターンをより安定した状態で載置面上に載置することができる。
【発明の効果】
【００１５】
本発明の一態様に係る温水暖房装置によると、燃焼ユニット及びシスターンのメンテナンス性を改善することができる。
【図面の簡単な説明】
【００１６】
【図１】実施形態に係る温水暖房装置の構成を示す模式図である。
【図２】筐体１０の斜視図である。
【図３】シスターン１の斜視図である。
【図４】シスターン１の上面図である。
【図５】シスターン１の側面図である。
【図６】図４のＶＩ−ＶＩにおける断面図である。
【図７】シスターン１の変形例１の上面図である。
【図８】シスターン１の変形例２の上面図である。
【図９】燃焼ユニット２の斜視図である。
【図１０】シスターン１が取り付けられた燃焼ユニット２の斜視図である。
【発明を実施するための形態】
【００１７】
本発明の実施形態の詳細を、図面を参照しながら説明する。なお、以下の図面においては、同一又は相当する部分に同一の符号を付し、重複する説明は繰り返さない。
【００１８】
（実施形態に係る温水暖房装置の構成）
以下に、実施形態に係る温水暖房装置の構成を説明する。
【００１９】
図１に示されるように、実施形態に係る温水装置は、シスターン１と、燃焼ユニット２とを有している。実施形態に係る温水装置は、さらに配管３ａ、配管３ｂ、配管３ｃ、配管３ｄ、配管３ｅ、配管３ｆ及び配管３ｇと、ポンプ４とを有している。シスターン１、燃焼ユニット２、配管３ａ〜配管３ｇ及びポンプ４は、筐体１０に収納されている。ポンプ４は、シスターン１に貯留されている水を、配管３ａ〜配管３ｇに沿って、図１中の矢印の方向に循環させる。
【００２０】
燃焼ユニット２は、一次熱交換器２１と、二次熱交換器２２と、バーナ２３とを有している。なお、図１中において図示されていないが、燃焼ユニット２は、排気部２４（図９参照）をさらに有している。
【００２１】
配管３ａの一方端には、シスターン１が接続されている。配管３ａの他方端には、上水道が接続されている。配管３ｂの一方端には、シスターン１が接続されている。配管３ｂの他方端には、配管３ｃの一方端及び配管３ｄの一方端が接続されている。配管３ｂの経路上には、ポンプ４が配置されている。
【００２２】
配管３ｃの他方端は、一次熱交換器２１が接続されている。配管３ｄの他方端は、低温暖房端末５１に接続されている。配管３ｅの一方端は、一次熱交換器２１に接続されている。配管３ｅの他方端は、高温暖房端末５２に接続されている。
【００２３】
配管３ｆの一方端は、分岐している。一方端において分岐している配管３ｆの一方は、低温暖房端末５１に接続されている。一方端において分岐している配管３ｆの他方は、高温暖房端末５２に接続されている。配管３ｆの他方端は、二次熱交換器２２に接続されている。配管３ｇの一方端は、二次熱交換器２２に接続されている。配管３ｇの他方端は、シスターン１に接続されている。
【００２４】
シスターン１には、配管３ａを介して、水が供給される。シスターン１に貯留されている水は、配管３ｂ及び配管３ｃを介して一次熱交換器２１に供給される。一次熱交換器２１に供給された水は、バーナ２３からの燃焼ガスとの間で熱交換を行うことにより、昇温される。一次熱交換器２１を通過した水は、配管３ｅを介して、高温暖房端末５２に供給される。高温暖房端末５２に供給された水は、暖房動作を行うことにより、温度が低下する。
【００２５】
高温暖房端末５２を通過した水は、配管３ｆを介して二次熱交換器２２に供給される。二次熱交換器２２に供給された水は、一次熱交換器２１と熱交換を行った後のバーナ２３からの燃焼ガスとの間で熱交換を行うことにより昇温される。二次熱交換器２２を通過した水は、配管３ｇを介してシスターン１に戻る。
【００２６】
シスターン１に戻った水は、配管３ｂ及び配管３ｄを介して、低温暖房端末５１に供給される。低温暖房端末５１に供給された水は、暖房動作を行うことにより、温度が低下する。低温暖房端末５１を通過した水は、配管３ｆを介して、二次熱交換器２２に供給される。二次熱交換器２２を通過した水は、配管３ｇを介して、再びシスターン１に戻る。
【００２７】
図２に示されるように、筐体１０は、天板１０ａと、底板１０ｂと、側板１０ｃと、側板１０ｄと、側板１０ｅと、側板１０ｆとを有している。天板１０ａと底板１０ｂとは、互いに対向している。側板１０ｃと側板１０ｅとは、互いに対向している。側板１０ｄと側板１０ｆとは、互いに対向している。
【００２８】
少なくとも側板１０ｃは、筐体１０から取り外し可能に構成されている。側板１０ｃを筐体１０から取り外すことにより、筐体１０が開口する。この開口を介して、筐体１０から温水暖房装置の構成部品を取り出し、又は筐体１０の内部に当該構成部品を収納することができる。なお、例えば側板１０ｃには、排気口１０ｃａが設けられている。排気口１０ｃａは、側板１０ｃを厚さ方向に貫通している。
【００２９】
側板１０ｅから側板１０ｃに向かう方向を、第１方向ＤＲ１という。側板１０ｄから側板１０ｆに向かう方向を、第２方向ＤＲ２という。また、下方とは、重力方向に沿う方向をいい、上方とは下方の反対方向をいい、天板１０ａから底板１０ｂに向かう方向は、下方に一致する。
【００３０】
筐体１０は、幅Ｗ１と、幅Ｗ２とを有している。幅Ｗ１は、側板１０ｃと側板１０ｅとの間の距離である（筐体１０の第１方向ＤＲ１における幅である）。幅Ｗ２は、側板１０ｄと側板１０ｆとの間の距離である（筐体１０の第２方向ＤＲ２における幅である）。好ましくは、幅Ｗ１は、幅Ｗ２よりも大きい。
【００３１】
図３〜図６に示されるように、シスターン１は、筐体１１と、水位電極１２と、水位電極１３とを有している。筐体１１は、上壁１１ａと、底壁１１ｂと、側壁１１ｃと、第１壁部１１ｄと、第２壁部１１ｅとを有している。上壁１１ａは、底壁１１ｂよりも上方に位置している。側壁１１ｃは、上壁１１ａ及び底壁１１ｂに連なっている。
【００３２】
筐体１１は、幅Ｗ３と、幅Ｗ４と、高さＨとを有している。幅Ｗ３は、第１方向ＤＲ１における筐体１１の幅である。幅Ｗ４は、第２方向ＤＲ２における筐体１１の幅である。高さＨは、上壁１１ａと底壁１１ｂとの間の距離の最大値である。好ましくは、幅Ｗ３及び幅Ｗ４は、高さＨよりも大きい。
【００３３】
筐体１１は、第１部分１１ｆと、第２部分１１ｇと、第３部分１１ｈとを有している。第２部分１１ｇ及び第３部分１１ｈは、第１部分１１ｆから同一方向（より具体的には、第１方向ＤＲ１）に突出している。第２部分１１ｇと第３部分１１ｈとは、当該方向と直交する方向（より具体的には、第２方向ＤＲ２）において、互いに離間して配置されている。すなわち、筐体１１は、平面視において、コの字型形状となっている。
【００３４】
筐体１１は、補水口１１ｉと、接続口１１ｊと、接続口１１ｋとを有している。補水口１１ｉ、接続口１１ｊ及び接続口１１ｋは、筐体１１の内部と連通している。補水口１１ｉは、配管３ａに接続されている。接続口１１ｊは、配管３ｂに接続されている。接続口１１ｋは、配管３ｇに接続されている。
【００３５】
補水口１１ｉは、側壁１１ｃに設けられている。接続口１１ｊ及び接続口１１ｋは、底壁１１ｂに設けられている。より具体的にいえば、補水口１１ｉは、第２部分１１ｇに位置する側壁１１ｃに設けられており、接続口１１ｊ及び接続口１１ｋは、第１部分１１ｆに位置する底壁１１ｂに設けられている。
【００３６】
筐体１１は、補水部１１ｌを有していてもよい。補水部１１ｌは、第２部分１１ｇに位置している。補水部１１ｌは、上壁１１ａの一部及び側壁１１ｃの一部により画されている。補水部１１ｌに位置する上壁１１ａ（補水部上壁）は、補水部１１ｌの周囲に位置する上壁１１ａから、上方に突出している（底壁１１ｂとは反対側に突出している）。補水口１１ｉは、補水部１１ｌに位置する側壁１１ｃ（補水部側壁）に設けられている。
【００３７】
上壁１１ａには、貫通孔１１ａａ及び貫通孔１１ａｂが設けられている。貫通孔１１ａａ及び貫通孔１１ａｂは、上壁１１ａを厚さ方向に貫通している。貫通孔１１ａａには、水位電極１２が挿通され、貫通孔１１ａｂには、水位電極１３が挿通される。
【００３８】
水位電極１２は、第１端１２ａと、第２端１２ｂとを有している。第２端１２ｂは、第１端１２ａの反対側の端である。水位電極１３は、第１端１３ａと、第２端１３ｂとを有している。第２端１３ｂは、第１端１３ａの反対側の端である。
【００３９】
水位電極１２は、第１端１２ａが筐体１１の内部に位置するように配置され、第２端１２ｂが筐体１１の外部に位置するように配置される。水位電極１３は、第１端１３ａが筐体１１の内部に位置するように配置され、第２端１３ｂが筐体１１の外部に位置するように配置される。
【００４０】
水位電極１２は、水位電極１３よりも長い。このことを別の観点からいえば、第１端１２ａは、第１端１３ａよりも上壁１１ａから離れた位置にある。水位電極１２及び水位電極１３は、第１端１２ａ及び第１端１３ａがそれぞれ筐体１１に貯留されている水の水面に接触することにより、筐体１１に貯留されている水の水位を検知する。そのため、水位電極１２は、筐体１１に貯留されている水の水位が第１水位に達しているかを検知することができ、水位電極１３は、筐体１１に貯留されている水の水位が第１水位よりも高い第２水位に達しているかを検知することができる。
【００４１】
なお、水位電極１２が第１水位よりも低い水位を検知した場合、実施形態に係る温水装置は、補水口１１ｉを介してシスターン１への水の供給を開始するように制御される。他方で、水位電極１３が第２水位よりも高い水位を検知した場合、実施形態に係る温水装置は、シスターン１への水の供給を停止するように制御される。
【００４２】
第１壁部１１ｄは、上壁１１ａから上方に（底壁１１ｂとは反対側に）突出している。第２壁部１１ｅは、上壁１１ａから上方に（底壁１１ｂとは反対側に）突出している。
【００４３】
第１壁部１１ｄ及び第２壁部１１ｅは、平面視において、平行に延在していることが好ましい。例えば、第１壁部１１ｄ及び第２壁部１１ｅは、平面視において、第２方向ＤＲ２に沿って延在している。この場合には、第１壁部１１ｄ及び第２壁部１１ｅの一方の第１方向ＤＲ１における幅は、第１壁部１１ｄ及び第２壁部１１ｅの他方の第１方向ＤＲ１における幅よりも大きくてもよい。第１壁部１１ｄ及び第２壁部１１ｅのうち、どちらの幅が大きくなっているかは、シスターン１及び燃焼ユニット２の重心位置によって決定される。図７に示されるように、第１壁部１１ｄ及び第２壁部１１ｅは、第１方向ＤＲ１に沿って延在していてもよい。
【００４４】
第１壁部１１ｄ及び第２壁部１１ｅは、平面視において、離間しながら対向するように配置されていることが好ましい。第１壁部１１ｄ及び第２壁部１１ｅは、平面視において貫通孔１１ａａ及び貫通孔１１ａｂを挟むように配置されていることが好ましい。
【００４５】
図８に示されるように、筐体１１は、第３壁部１１ｍと、第４壁部１１ｎとをさらに有していてもよい。第３壁部１１ｍ及び第４壁部１１ｎは、上壁１１ａから上方に（底壁１１ｂとは反対側に）突出している。
【００４６】
第３壁部１１ｍ及び第４壁部１１ｎは、平面視において、第１壁部１１ｄ及び第２壁部１１ｅの延在方向と交差する方向に延在している。例えば、第１壁部１１ｄ及び第２壁部１１ｅが平面視において第２方向ＤＲ２に沿って延在している場合には、第３壁部１１ｍ及び第４壁部１１ｎは、平面視において、第１方向ＤＲ１に沿って延在している。第３壁部１１ｍ及び第４壁部１１ｎは、平面視において、離間しながら対向している。
【００４７】
第３壁部１１ｍ及び第４壁部１１ｎは、平面視において、貫通孔１１ａａ及び貫通孔１１ａｂを挟むように配置されている。平面視において、貫通孔１１ａａ及び貫通孔１１ａｂは、平面視において、第１壁部１１ｄ、第２壁部１１ｅ、第３壁部１１ｍ及び第４壁部１１ｎにより取り囲まれていてもよい。第３壁部１１ｍは、第１壁部１１ｄ及び第２壁部１１ｅと一体となっていてもよく、第４壁部１１ｎは、第１壁部１１ｄ及び第２壁部１１ｅと一体となっていてもよい。
【００４８】
後述するように、シスターン１は、底壁１１ｂ側において燃焼ユニット２に取り付けられている。第１壁部１１ｄ、第２壁部１１ｅ及び補水部１１ｌに位置する上壁１１ａは、上下を逆にしてシスターン１及び燃焼ユニット２が載置面上に載置される際に、当該載置面上においてシスターン１及び燃焼ユニット２を支持するように構成されている。
【００４９】
このことを別の観点からいえば、第１壁部１１ｄの上端、第２壁部１１ｅの上端及び補水部１１ｌに位置する上壁１１ａの高さ位置が等しくなっている。なお、第１壁部１１ｄ（第２壁部１１ｅ）の上端とは、第１壁部１１ｄ（第２壁部１１ｅ）の上壁１１ａとは反対側の端である。ここで、高さ位置とは、上壁１１ａに設けられた基準位置からの距離である。この基準位置は、例えば、貫通孔１１ａａ及び貫通孔１１ａｂが設けられる部分の上壁１１ａにより設定される。
【００５０】
なお、「第１壁部１１ｄの上端、第２壁部１１ｅの上端及び補水部１１ｌに位置する上壁１１ａの高さ位置が等しい」は、第１壁部１１ｄの上端、第２壁部１１ｅの上端及び補水部１１ｌに位置する上壁１１ａの高さ位置が一致している場合に限られない。
【００５１】
第１壁部１１ｄの上端と基準位置との距離を距離Ｌ１、第２壁部１１ｅの上端と基準位置との距離を距離Ｌ２、補水部１１ｌに位置する上壁１１ａと基準位置との距離を距離Ｌ３とした場合に、距離Ｌ１（距離Ｌ２、距離Ｌ３）の距離Ｌ１〜距離Ｌ３の平均値からのずれが±５パーセント以内であれば、「第１壁部１１ｄの上端、第２壁部１１ｅの上端及び補水部１１ｌに位置する上壁１１ａの高さ位置が等しい」に含まれる。
【００５２】
第２端１２ｂ及び第２端１３ｂは、第１壁部１１ｄの上端及び第２壁部１１ｅの上端よりも上壁１１ａに近い位置にある。すなわち、第２端１２ｂと基準位置との距離及び第２端１３ｂと基準位置との距離は、距離Ｌ１及び距離Ｌ２よりも小さい。このことを別の観点からいえば、第１壁部１１ｄ及び第２壁部１１ｅは、第２端１２ｂ及び第２端１３ｂよりも上方に（底壁１１ｂとは反対側に）突出している。
【００５３】
図９に示されるように、二次熱交換器２２は、一次熱交換器２１の上方に配置されている。なお、図９中において図示が省略されているが、一次熱交換器２１は、バーナ２３の上方に配置されている。排気部２４は、二次熱交換器２２の上方に配置されている。
【００５４】
排気部２４は、排気集合筒２４ａと、排気筒２４ｂとを有している。排気部２４は、一次熱交換器２１及び二次熱交換器２２を下方から上方に向かって通過したバーナ２３からの排気は、排気部２４を介して筐体１０の外部に排出される。排気集合筒２４ａは、二次熱交換器２２の上面に設けられた開口に接続されている。排気集合筒２４ａは、下方から上方に向かうにしたがって流路面積が減少している。排気筒２４ｂは、排気集合筒２４ａ及び筐体１０の外部と接続している。より具体的には、排気筒２４ｂは、排気口１０ｃａに接続されることにより、筐体１０の外部と接続されている。
【００５５】
図１０に示されるように、シスターン１は、燃焼ユニット２に取り付けられている。これにより、シスターン１と燃焼ユニット２とは、一体化されている。より具体的には、シスターン１は、燃焼ユニット２の上方に位置するように、燃焼ユニット２に取り付けられている。このことを別の観点からいえば、シスターン１は、底壁１１ｂ側において、燃焼ユニット２に取り付けられている。
【００５６】
なお、燃焼ユニット２がシスターン１に取り付けられた状態において、排気部２４（排気集合筒２４ａ）は、第２部分１１ｇと第３部分１１ｈとの間を通過している。
【００５７】
燃焼ユニット２がシスターン１に取り付けられた状態において、排気部２４の高さ位置は、第１壁部１１ｄの上端の高さ位置、第２壁部１１ｅの上端の高さ位置及び補水部１１ｌに位置する上壁１１ａの高さ位置よりも低くなっている。このことを別の観点からいえば、第１壁部１１ｄ、第２壁部１１ｅ及び補水部１１ｌは、シスターン１及び燃焼ユニット２の他の部分よりも、上方に（底壁１１ｂとは反対側に）突出している。
【００５８】
（実施形態に係る温水暖房装置の効果）
以下に、実施形態に係る温水暖房装置の効果を説明する。
【００５９】
実施形態に係る温水暖房装置において、シスターン１は、燃焼ユニット２に取り付けられている。すなわち、燃焼ユニット２とシスターン１とが一体となっている。そのため、シスターン１及び燃焼ユニット２を、一体化された状態で筐体１０から取り外すことができる。取り外された燃焼ユニット２及びシスターン１は、載置面上に載置されることにより、メンテナンスに供される。
【００６０】
上下を逆にしてシスターン１及び燃焼ユニット２が載置面上に載置される場合には、上壁１１ａに設けられた第１壁部１１ｄが、載置面上において、シスターン１及び燃焼ユニット２を支持することができる。そのため、実施形態に係る温水暖房装置によると、上下を逆にすることにより、シスターン１及び燃焼ユニット２を、容易に載置面上に載置することができる。したがって、実施形態に係る温水装置によると、シスターン１及び燃焼ユニット２のメンテナンス性を改善することができる。
【００６１】
実施形態に係る温水暖房装置において、第２端１２ｂ及び第２端１３ｂの高さ位置は、第１壁部１１ｄの上端の高さ位置よりも低くなっている（第１壁部１１ｄの上端よりも上壁１１ａに近い位置にある）。そのため、載置面上において第１壁部１１ｄがシスターン１及び燃焼ユニット２を支持する際に、水位電極１２及び水位電極１３は、その妨げとならない。
【００６２】
実施形態に係る温水暖房装置において、筐体１１が第２壁部１１ｅをさらに有している場合、第１壁部１１ｄのみならず、第２壁部１１ｅによっても、シスターン１及び燃焼ユニット２を載置面上において支持することができる。そのため、この場合には、燃焼ユニット２及びシスターン１をより安定した状態で載置面上に載置することができる。
【００６３】
シスターン１及び燃焼ユニット２を筐体１０から取り外す、又は筐体１０に収納する際に水位電極１２及び水位電極１３が筐体１０等に接触することは、水位電極１２及び水位電極１３の損傷の原因となるおそれがある。第１壁部１１ｄ及び第２壁部１１ｅが平面視において貫通孔１１ａａ及び貫通孔１１ａｂを挟むように配置されている場合、水位電極１２及び水位電極１３が、第１壁部１１ｄ及び第２壁部１１ｅにより、このような接触から保護されている。そのため、この場合には、水位電極１２及び水位電極１３に損傷が生じることを抑制することができる。
【００６４】
実施形態に係る温水暖房装置において、筐体１１が補水部１１ｌをさらに有している場合、第１壁部１１ｄ及び第２壁部１１ｅのみならず、補水部１１ｌに位置する上壁１１ａによっても、シスターン１及び燃焼ユニット２を、載置面上において支持することができる。そのため、この場合には、シスターン１及び燃焼ユニット２をより安定した状態で載置面上に載置することができる。なお、補水部１１ｌにおいては、上壁１１ａが周囲よりも上方に（底壁１１ｂとは反対側に）突出しているため、筐体１１の内部空間が他の部分よりも相対的に大きくなっている。そのため、この場合には、補水口１１ｉから筐体１１の内部に注水するための空間を確保しやすい。
【００６５】
今回開示された実施形態は全ての点で例示であって、制限的なものではないと考えられるべきである。本発明の範囲は、上記した実施の形態ではなく、特許請求の範囲によって示され、特許請求の範囲と均等の意味、及び範囲内での全ての変更が含まれることが意図される。
【産業上の利用可能性】
【００６６】
上記の実施形態は、温水暖房装置に特に有利に適用される。
【符号の説明】
【００６７】
１  シスターン、１１  筐体、１１ａ  上壁、１１ａａ，１１ａｂ  貫通孔、１１ｂ  底壁、１１ｃ  側壁、１１ｄ  第１壁部、１１ｅ  第２壁部、１１ｆ  第１部分、１１ｇ  第２部分、１１ｈ  第３部分、１１ｉ  補水口、１１ｊ，１１ｋ  接続口、１１ｌ  補水部、１１ｍ  第３壁部、１１ｎ  第４壁部、１２，１３  水位電極、１２ａ，１３ａ  第１端、１２ｂ，１３ｂ  第２端、２  燃焼ユニット、２１  一次熱交換器、２２  二次熱交換器、２３  バーナ、２４  排気部、２４ａ  排気集合筒、２４ｂ  排気筒、３ａ，３ｂ，３ｃ，３ｄ，３ｅ，３ｆ，３ｇ  配管、４  ポンプ、５１  低温暖房端末、５２  高温暖房端末、１０  筐体、１０ａ  天板、１０ｂ  底板、１０ｃ  側板、１０ｃａ  排気口、１０ｄ，１０ｅ，１０ｆ  側板、１０ｃａ  排気口、ＤＲ１  第１方向、ＤＲ２  第２方向、ＤＲ３  第３方向、ＤＲ４  第４方向、Ｈ  高さ、Ｌ１，Ｌ２，Ｌ３  距離、Ｗ１，Ｗ２，Ｗ３，Ｗ４  幅。
【図１】
2019143824.tif 000003
【図２】
2019143824.tif 000004
【図３】
2019143824.tif 000005
【図４】
2019143824.tif 000006
【図５】
2019143824.tif 000007
【図６】
2019143824.tif 000008
【図７】
2019143824.tif 000009
【図８】
2019143824.tif 000010
【図９】
2019143824.tif 000011
【図１０】
2019143824.tif 000012